(57)【特許請求の範囲】
【請求項１】
ドアの下端部を枢支する軸と、この軸を介して前記ドアを閉方向に付勢する機構を有する本体をケーシングに収納してなるフロアヒンジにおいて、
前記ケーシングの開口部を閉じる化粧プレートをその裏側に配したパッキンを介して当該ケーシングに取り付け、
前記本体の上面から前記軸と同軸に突出する円柱状の肩部の外周部に雄ねじ部を形成し、
前記軸と化粧プレートの間の環状空間を塞ぐキャップの内径部に、前記雄ねじ部に螺合する雌ねじ部を形成するとともに、当該キャップが前記化粧プレートに当接する端面にパッキン押圧面を設け、
前記パッキンとは別に、前記軸とキャップとの間の隙間をシールするリング状のシール部材を前記肩部の上面に配置し、前記キャップを締結することにより、前記パッキンと前記シール部材とが同時に押圧されるようにしたことを特徴とするフロアーヒンジ。
【発明の詳細な説明】
【０００１】
【発明の属する技術分野】
本発明は、ビルの玄関口や、店舗の入口などにドアを床側から枢支するフロアーヒンジに係り、特に、フロアヒンジのケーシングと化粧プレートあるいは軸との間の隙間などからケーシング内部への水の侵入を確実に防止できるようにパッキンの取付構造を改良したフロアーヒンジに関する。
【０００２】
【従来の技術】
軸の回りを旋回して開閉するドアには、いろいろな種類のものがあるが、そのうちのフロアヒンジドアは、ドアの下端部を枢支する軸と、この軸を介してドアを閉じる方向に付勢する機構とを内蔵したフロアヒンジを床に埋め込み、ドアを床面上で枢支するようにした形式のドアで、ビルの玄関口や、店舗などで広く利用されている。
【０００３】
そこで、図４にフロアヒンジドアを示す。この図４において、１は床面で、２ａ、２ｂがフロアヒンジドアである。４がフロアヒンジを示している。このフロアヒンジ４は、その上面が床面１とほぼ面一となるように床に埋め込まれており、フロアヒンジの上面から上に突き出ている軸５が、ドア２を構成する縦框３の下端部の図示しない軸受けに嵌合し、ドア２の下側を枢支する軸を構成するようになっている。なお、縦框３の上端部の図示しない軸受けは、ドアの開口部を形成する上枠６に設けたピボットヒンジ７によって枢支されている。このようなフロアヒンジ型のドア２ａ、２ｂは、軸５、７を中心に旋回させて開閉することができる。
【０００４】
フロアヒンジ４は、ドア２ａ、２ｂの旋回角度を規制する機能を有しており、例えば、最大開扉角度を９５°としてこれ以上開かないようにする。また、フロアヒンジドア４は、開いたドア２ａ、２ｂが自動的に閉じるように閉鎖方向に付勢し、ドア２ａ、２が開放されたままに放置されるのを防止する機能を備えている。
【０００５】
このようなフロアヒンジ４は、床に込め込まれて設置されるものである。特に、フロアヒンジが設置されるところは、人の出入りで汚れやすいことから、しばしば水洗いを行う必要があり、また、降雨の時には、人の出入りの際に傘から雨水が床面に滴れたりして、水にさらされ易い状況にある。また、一度フロアヒンジ４が設置されると長期間に亘ってそのままメンテナンスなしで使用され続けることから、その機能を維持する上でフロアヒンジの本体を収納するケーシングのシーリング性が極めて重要となる。
【０００６】
そこで、従来のこの種のフロアヒンジに適用されているシーリング構造として、例えば、実公平３−５４５３７号に開示されているものがあり、これを図５に示す。この図５において、１０がフロアヒンジの本体であり、１１がドアの下端を枢支する軸である。本体１０は、上側が開口しているケーシング１２に収納されて、位置調整可能に固定されている。このケーシング１２の上端開口部は全体を化粧プレート１４で閉じられている。この化粧プレート１４には、軸１１が突き出るように円形の開口部１５が形成され、この開口部１５を塞ぐために短円筒状のキャップ１６が軸１１に嵌着されている。
【０００７】
化粧プレート１４と、ケーシング１２の上端縁との間を密封するために、その間には厚手の第１のパッキン１７が介装されている。この第１のパッキン１７は、化粧プレート１４の裏面全面に当たるように装着されている。そして、第１パッキン１７の裏面には、さらに、薄手の第２のパッキン１８が設けられている。
【０００８】
他方、軸１１の回りの隙間からの水の侵入を防止するために、軸１１の外周下部には、薄手の第３のパッキン１９が被着されている。この第３パッキン１９は、軸１１の外周下部から本体１の上面の膨らみ部２０に続く段になっている部分に密着して被せられたパッキンであり、この第３パッキン１９の外縁部の上には、前記第１パッキン１７の裏面が当接するようになっている。
【０００９】
図５に示すように、化粧プレート１４の外周部をねじ９でケーシング１２に固定することで、第１パッキン１７、第２パッキン１８を化粧プレート１４とケーシング１２のフランジ部の間で挟み付けるようにして取り付けている。そして、第３パッキン１９は第１パッキン１７によって押えられることで密着性を確保するようになっている。
【００１０】
【発明が解決しようとする課題】
上述した従来のフロアヒンジでは、、第１パッキン１７、第２パッキン１８の外周部を化粧プレート１４とケーシング１２の間に挟んでねじ２１で締め付けることにより、きっちりとシールすることができる。
【００１１】
しかしながら、軸１１とキャップ１６の隙間や、キャップ１６と化粧プレート１４の隙間から水が侵入する懸念があった。この部分の隙間をシールするために、第３パッキン１９が設けられているものの、この第３パッキン１９は、第１パッキン１７、第２パッキン１８とは異なり、ねじ等を用いて直接締め付けて密着させていないため、軸１１とキャップ１６間の隙間や、キャップ１６と化粧プレート１４の間の隙間からの水を侵入を完全に阻止できない上に、次第に、第３パッキン１９の経年的劣化などによって、水が第３パッキン１９を通してケーシング１２に内部に侵入し、本体１０を錆びさせるという問題があった。
【００１２】
そこで、本発明の目的は、前記従来技術の有する問題点を解消し、ケーシング内部への水の侵入を確実に防止できるようにシーリング性能を一挙に強化し、一度据え付けた後はメンテナンスフリーで長期間に亘って機能を維持できるようにしたフロアーヒンジを提供することにある。
【００１３】
【課題を解決するための手段】
前記の目的を達成するために、本発明は、ドアの下端部を枢支する軸と、この軸を介して前記ドアを閉方向に付勢する機構を有する本体をケーシングに収納してなるフロアヒンジにおいて、前記ケーシングの開口部を閉じる化粧プレートをその裏側に配したパッキンを介して当該ケーシング取り付け、前記本体の上面から前記軸と同軸に突出する円柱状の肩部の外周部に雄ねじ部を形成し、前記軸と化粧プレートの間の環状空間を塞ぐキャップの内径部に、前記雄ねじ部に螺合する雌ねじ部を形成するとともに、当該キャップが前記化粧プレートに当接する端面にパッキン押圧面を設け、前記パッキンとは別に、前記軸とキャップとの間の隙間をシールするリング状のシール部材を前記肩部の上面に配置し、前記キャップを締結することにより、前記パッキンと前記シール部材とが前記キャップにより同時に押圧されるようにしたことを特徴とするものである。
【００１４】
本発明によれば、前記キャップを前記肩部に締結することにより、当該キャップのパッキン押圧面で前記化粧プレートを介して前記パッキンの軸回りの部分を本体上面に圧着せしめられ、さらに、前記シール部材も前記肩部に押し付けられるため、前前記軸の回りを確実にシールすることができる。
【００１５】
【発明の実施形態】
以下、本発明によるフロアーヒンジの一実施形態について、添付の図面を参照しながら説明する。
図１は、本発明の一実施形態によるフロアヒンジの一部切り欠き側面図で、図２は、フロアヒンジのケーシング内部を示す平面図である。図３は、軸回りの要部を示す一部切り欠き斜視図である。
【００１６】
フロアヒンジの本体１０、ドアの下端を枢支する軸１１は、上述した図５の従来例のものと同じものであるため、その詳細な説明は省略する。このフロアヒンジの本体１０は、上側が開放している有底筐体形状のケーシング１２に収納されている。本体１０とケーシング１２の長手方向の側面には、本体１０の方向を調整するためのボルト２１、ナット２２ａ、２２ｂが配設され、ナット２２ａ、２２ｂを回すことで本体１０の方向を微調整することができるようになっている。また、本体１０のコーナ部には、本体１０の位置を美調整するためのネジ２３およびボルト２４、ナット２５ａ、２５ｂが配設されている。したがって、本体１０は、これらのネジ、ボルト・ナットにより、位置調整可能に固定されている。また、本体１０の上面の略中央部は、押え板２６でしっかりと保持されている。
【００１７】
一方、ケーシング１２の上端開口部は、水平に広がったフランジ部１２ａが形成されており、このフランジ部１２ａには、ケーシング１２の開口を閉じる化粧プレートを取り付けるためのねじ穴２７が複数形成されている。この実施形態では、図３に示すように、３分割された化粧プレート３０ａ、３０ｂ、３０ｃにより、ケーシング１２の開口部が閉じられている。これは、軸１１で図示しないドアを枢支した後は、一枚の化粧プレートではケーシングへの取り付けができなくなるからである。このうち、軸１１の両側に配置される化粧プレート３０ａ、３０ｂには、軸１１が突出するように円形の開口部３１が形成されている。参照符号３２は、この開口部３１を塞ぐとともに、後述するパッキンを軸回りで押えつけるための短円筒状のキャップである。化粧プレート３０ａ乃至３０ｃの裏面には、ケーシング１２のフランジ部１２ａと縦、横寸法が同じになっているパッキン３３が装着されている。このパッキン３３には、前記の開口部３１と同径の穴３３ａが形成されている。
【００１８】
キャップ３２は、その外径は、前記開口部３１よりも大きくなっており、また、内径は、本体１０の上面から軸１１と同軸に突き出ている円柱状の肩部３４の外径と同径になっている。これにより、化粧プレートの表面に当接するキャップ３２の端面は、化粧プレートの３０ａ、３０ｂの開口部３１の外縁部を押しつけることでパッキン３３を押圧するパッキン押圧部３２ａとして機能する幅および平坦面を有するようになっている。
【００１９】
前記円柱状の肩部３４の外周面には、雄ねじ部３５が形成されており、キャップ３２の内径部には、この雄ねじ部に螺合する雌ねじ部３６が形成されている。
【００２０】
キャップ３２の上底部３７には軸１１が嵌合する穴が形成されている。このキャップ３２の上底部３７の内側面と、前記肩部３４の上面との間には、軸１１の外径と略等しい内径を有するリング状のシール部材３８が配置されている。
【００２１】
なお、キャップ３２の外周部にはキャップ３２を締め付ける工具５６の先端部を挿入するための複数の穴３９が半径方向に形成されている。
【００２２】
本実施形態によるフロアヒンジは、以上のように構成されるものであり、次に、その作用について説明する。
図１に示すように、フロアヒンジは、床面５０の下に埋設され、ケーシング１２を床下の構造部材に溶接することで固定される。その溶接にあたっては、図１、図２に示すように、例えば、Ｌ字形の部材５６をケーシング１２の側面に取り付け、この部材５６を溶接することでケーシング１２を固定することが好ましい。そうすることにより、溶接した後にケーシング１２が錆易くなるのを防止し、また、ケーシング１２を補強し、ドアを強く開いたときにケーシング１２が変形するのを防止する。
【００２３】
フロアヒンジの取付、調整作業にあたって、前もって、ケーシング１２のフランジ部１２ａにパッキン３３を被せておき、シール部材３８とキャップ３２は軸１１に装着しておく。取り付け作業は、化粧プレート３０ａ乃至３０ｃを取り付けていない状態で行われる。
【００２４】
そこで、ドア５２の縦框５４の下端部の図示しない軸受に、軸１１を係合させた後、前述した図３に示した方向調整用のナット２２ａ、２２ｂ、位置調整用のねじ２３、ナット２５ａ、２５ｂを締め、あるいは緩めながら、フロアヒンジ本体の動作および位置を調整した後、これらを締め付けて固定する。
【００２５】
そして、図１に示すように、ドア５２を床から若干浮かせるように保持しておいて、化粧プレート３０ａ、３０ｂ、３０ｃをパッキン３３の上に載せ、図２に示すように、化粧プレートの外周縁部全体にわたって、所要数のねじ４０でネジ止めする。そして、キャップ３２の外周部の穴３９に締付け工具５８の先端部を差込み、この締付け工具５８を使ってキャップ３２を右回りに回して締め込む。
【００２６】
このキャップ３２は、円筒状の肩部３４の雄ねじ部３５に螺合する雌ねじ部３６で螺合しているため、締めこむことによって、次第に、キャップ３２のパッキン押圧部３２ａは、化粧プレート３０ａ、３０ｂの表面を押圧する。そして、さらに、キャップ３２を締め付けていくと、パッキン押圧部３２ａは、化粧プレート３０ａ、３０ｂを介してその下のパッキン３３を本体１０の上面に強く押付けるので、開口部３１の外縁部全体が確実にパッキン３３によってシールされる。
【００２７】
また、これと同時に、リング状のシール部材３８もキャップ３２の上底部３７によって肩部３４に押付けられるため、軸１１の回りは、シール部材３８によって確実にシールされる。しかも、キャップ３２を締め付ける作業は、ドア取付後の狭い限られた空間を利用しながら容易に行うことが可能である。
【００２８】
このようにして、軸１１の回りおよび開口部３１の回りの隙間は、キャップ３２でパッキン３３を直接押し付けることにより確実にシールされるため、水のケーシング１２内部への侵入を阻止することができる。なお、ケーシング１２のフランジ部１２ａと化粧プレート３０ａ乃至３０ｃの間の隙間は、フランジ部１２ａと化粧プレート３０ａ乃至３０ｂの間に挟まれてねじ４０によりネジ止めされるパッキン３３により確実にシールできることはいうまでもない。
【００２９】
また、フロアヒンジを設置した後のキャップ３２は、軸１１回りの穴を塞ぐとともに見栄えをよくする化粧キャップとして機能することはもちろんである。
【００３０】
【発明の効果】
以上の説明から明らかなように、本発明によれば、キャップを前記肩部に締結することにより、当該キャップのパッキン押圧面で前記化粧プレートを介して前記パッキンの軸回りの部分を本体上面に圧着せしめられ、さらに、前記シール部材も前記肩部に押し付けられるため、前記軸の回りを確実にシールすることができ、ケーシング内部への水の侵入を確実に防止できるようにシーリング性能を一挙に強化し、一度据え付けた後はメンテナンスフリーで長期間に亘って機能を維持できる。
【図面の簡単な説明】
【図１】本発明によるフロアーヒンジの一実施形態を示す一部切り欠き断面図。
【図２】同フロアーヒンジのケーシング内部の本体を示す平面図。
【図３】同フロアーヒンジの軸回りを示す一部破断斜視図。
【図４】従来のフロアヒンジ形のドアを示す正面図。
【図５】従来のフロアヒンジを示す断面図。
【図６】従来のフロアヒンジの平面図。
【符号の説明】
１０  本体
１１  軸１１
１２  ケーシング
１２ａ  フランジ部
３０ａ〜３０ｃ  化粧プレート
３１  開口部
３２  キャップ
３３  パッキン
３４  肩部
３５  雄ねじ部
３６  雌ねじ部
３８  シール部材
５０  床面
５２  ドア
【図１】
0004354111.tif 000002
【図２】
0004354111.tif 000003
【図３】
0004354111.tif 000004
【図４】
0004354111.tif 000005
【図５】
0004354111.tif 000006
【図６】
0004354111.tif 000007